(57)【要約】【課題】ハンガーが上端部に取付けられた上下動可能なハンガー支持杆が、背凭れの後面と干渉することがなく、しかも使用時に、ハンガーが背凭れ後面より後上方に離れて使い勝手がよくなるようにしたハンガー付き椅子を提供する。【解決手段】中間部が前方に突出するようにして側面視ほぼく字状に屈曲した背凭れ４の後面４ａに上下動可能として支持されたハンガー支持杆７と、ハンガー支持杆７の上端部に取付けられたハンガー本体８とを具備するハンガー付き椅子１において、ハンガー支持杆７を、中間部が前方に向けて突出するように湾曲させる。【選択図】図１
2005137797.tif 000002
【特許請求の範囲】
【請求項１】
中間部が前方に突出するようにして側面視ほぼく字状に屈曲した背凭れの後面に上下動可能として支持されたハンガー支持杆と、このハンガー支持杆の上端部に取付けられたハンガー本体とを具備するハンガー付椅子において、前記ハンガー支持杆を、中間部が前方に向けて突出するように湾曲させたことを特徴とするハンガー付き椅子。
【請求項２】
ハンガー本体を下限位置としたとき、ハンガー本体が背凭れの上端と等高かまたは下位となり、かつハンガー支持杆の下端部が、背凭れの後面より後方に離間するようにした請求項１記載のハンガー付き椅子。
【請求項３】
ハンガー本体を上限位置としたとき、ハンガー本体が背凭れの後面より後方に離れるようにした請求項１または２記載のハンガー付き椅子。
【発明の詳細な説明】
【技術分野】
【０００１】
本発明は、背凭れの後面に、衣服を掛けるためのハンガーが取付けられたハンガー付き椅子に関する。
【背景技術】
【０００２】
椅子が単に腰掛けるためだけでなく、他の機能も有するよう、背凭れの後面に着脱自在のブラケットを介してハンガーを取付けたものが公知となっている (例えば特許文献１参照)。
【０００３】
また、ハンガーが着脱式であると、不使用時の収納場所を新たに設けなければならないことから、ハンガー本体をハンガー支持杆の上部に取付けるとともに、ハンガー支持杆を上下動可能に支持するハンガー支持体を背凭れの上部に設けて、ハンガーが常時椅子に付属するようにしつつ、不使用時にはハンガー支持杆を降ろして、ハンガー本体が背凭れより上方に突出しないようにしたハンガー付き椅子も提案されている(例えば特許文献２〜４参照)。
【特許文献１】特開平１１−１５５６９０号公報
【特許文献２】実開平５−７１７９号公報
【特許文献３】実開平６−４５５５３号公報
【特許文献４】特開平９−２０６１６９号公報
【発明の開示】
【発明が解決しようとする課題】
【０００４】
しかし、椅子の背凭れには、通常人間の背中の外形に合わせ、またリクライニング効果を高めるよう、中央部が前方に緩やかに突出するように、側面視ほぼく字状とすることがあり、このような椅子に、上記のような上下動しうるハンガーを装着すると、ハンガー支持杆の下端が背凭れの下部後面と干渉して、この面を傷つけたり、円滑な上下動ができなくなることがある。
【０００５】
本発明は、上記事情に鑑みてなされたもので、ハンガーが上端部に取付けられた上下動可能なハンガー支持杆が、背凭れの後面と干渉することがなく、しかも使用時に、ハンガーが背凭れ後面より後方上に離れて使い勝手がよくなるようにしたハンガー付き椅子を提供することを目的としている。
【課題を解決するための手段】
【０００６】
本発明によれば、上記課題は、次のようにして解決される。
(１)中間部が前方に突出するようにして側面視ほぼく字状に屈曲した背凭れの後面に上下動可能として支持されたハンガー支持杆と、このハンガー支持杆の上端部に取付けられたハンガー本体とを具備するハンガー付椅子において、前記ハンガー支持杆を、中間部が前方に向けて突出するように湾曲させる。
【０００７】
(２)上記(１)項において、ハンガー本体を下限位置としたとき、ハンガー本体が背凭れの上端と等高かまたは下位となり、かつハンガー支持杆の下端部が、背凭れの後面より後方に離間するようにする。
【０００８】
(３)上記(１)または(２)項において、ハンガー本体を上限位置としたとき、ハンガー本体が背凭れの後面より後方に離れるようにする。
【発明の効果】
【０００９】
(ａ)請求項(１)記載の発明によれば、ハンガー支持杆は、背凭れと側面視ほぼ同じ方向に湾曲しているため、ハンガー本体の不使用時にハンガー支持杆を下降させたときでも、ハンガー支持杆の下端が背凭れの下部後面と干渉することはないい。
【００１０】
(ｂ)請求項(２)記載の発明によれば、ハンガーの不使用時に、ハンガーが邪魔にならず、かつ美観を保つことができ、しかもハンガー支持杆の下端が背凭れの後面を傷つけることもない。
【００１１】
(ｃ)請求項(３)記載の発明によれば、ハンガーの使用時に、ハンガー本体が椅子の背凭れから後上方に離れるので、ハンガー本体に衣服を掛け易くなり、また衣類が背凭れに掛かって着座の妨げとなることもない。
【発明を実施するための最良の形態】
【００１２】
図１〜図３は、本発明の一実施形態を示す。本発明に係るハンガー付き椅子(１)は、脚体(２)の上に設けられた座部(３)と、この座部(３)の後端より起立するとともに、中間部が前方に突出するように側面視ほぼく字状に屈曲した背凭れ(４)と、この背凭れ(４)の後面(4a)に取付けられたハンガー部材(５)とからなっている。
【００１３】
ハンガー部材(５)は、背凭れ後面(4a)のく字状の屈曲部より上方に固着された支持体(６)と、この支持体(６)を貫通して上下動可能に支持されるとともに、背面視ほぼＵ字状かつ中間部が前方に突出するように側面視ほぼく字状に湾曲するハンガー支持杆としてのハンガーロッド(７)と、ハンガーロッド(７)の２個の垂直部分(7a)(7a)の両上端部に取り付けられたハンガー本体としてのハンガートップ(８)とからなっている。
【００１４】
ハンガーロッド(７)は、支持体(６)の貫通路(6a)との抵抗力により所望の高さに保持することができる。ハンガーロッド(７)は、引き上げ時には、その水平部分(7b)が支持体(６)の下端面に当接し、また押し下げ時には、ハンガートップ(８)のハンガーロッド(７)との取付部(8a)が、支持体(６)の上端面に当接することにより、上下動の上限と下限が画定される。
【００１５】
本発明のハンガー付き椅子(１)は、ハンガートップ(８)が背凭れ(４)の上端より後上方に離れるようにハンガーロッド(７)を引き上げて、ハンガートップ(８)に上着を掛けることができる。ハンガートップ(８)を使用しないときは、ハンガートップ(８)が背凭れ(４)の上端より下位となるようにハンガーロッド(７)を押し下げて、ハンガートップ(８)が周囲の邪魔にならないようにすることができる。
【００１６】
本発明によれば、ハンガーロッド(７)が前方に向けて突出するよう湾曲しており、背凭れ(４)の後面(4a)と側面視ほぼ同じ輪郭を有するため、ハンガーロッド(７)を押し下げるときにも、その下端部、すなわち垂直部分(7b)が背凭れ(４)の後面(4a)と干渉し、後面(4a)を傷つけたり、後面(4a)との摺接によって円滑な上下動ができないという事態は起こらない。
【００１７】
また、ハンガートップ(８)に上着を掛けた状態で、背凭れ(４)に寄りかかったときも、ハンガートップ(８)は、ハンガーロッド(７)の側面視く字形状のために、背凭れ(４)の上端部から後方に離間しているため、後頭部が上着と接触することはない。
【００１８】
本実施形態におけるように、ハンガー支持杆が複数の垂直部分を有してハンガー本体を支持する構造とすると、ハンガー本体が水平面で回動することはない。
【００１９】
また支持体(６)がハンガーロッド(７)を上下動可能に支持する構造は、本発明の技術的範囲に包含される中で、種々のものが可能である。例えば、左右方向に延びるコロをハンガーロッドの上限位置と下限位置に組み込み、ハンガーロッドを板ばねによって前方に付勢しながら押さえ付けて、ハンガーロッドの上げ下げは、ハンガーロッドをやや後方に、板ばねの付勢力に抗して引き、コロを回転させながら、抵抗力の少ない状態で行うようにすることもできる。
【図面の簡単な説明】
【００２０】
【図１】本発明の一実施形態を示すもので、ハンガー支持杆を引き上げた状態の側面図である。
【図２】同じく、ハンガー支持杆を押し下げた状態の側面図である。
【図３】図１の要部拡大背面図である。
【符号の説明】
【００２１】
(１)ハンガー付き椅子
(２)脚体
(３)座部
(４)背凭れ
(4a)後面
(５)ハンガー部材
(６)支持体
(6a)貫通路
(７)ハンガーロッド(ハンガー支持杆)
(7a)垂直部分
(7b)水平部分
(８)ハンガートップ（ハンガー本体）
(8a)取付部
【図１】
2005137797.tif 000003
【図２】
2005137797.tif 000004
【図３】
2005137797.tif 000005